(57)【要約】【課題】本発明は従来の介護現場では介護行為を行う介護者の体に掛かる負担が大きく、かつ、高齢者が高齢者を介護すると言った状況も少なくない。また、簡便に使える道具も無いと言った問題点を解消し、一人でも容易に介護行為を行う事が可能となり、介護者の肉体的負担を軽減させる事を目的としたものである。【解決手段】本発明は、寝床の布団またはシーツなどの寝具の下に設置し流体を流入したり抜いたりする事により、平面状態から立体状態に膨張し、寝具ごと被介護者の体の一部を上下動させる事を可能にし、気密性と筒状流体流入口に着脱自在の流体流入用ホース取付部を有した平面袋体からなるマット本体と流体流入量調節バルブを有した流体流入装置からなる介護用マットである。  また、本発明は本体マットを腰部の下辺りになる様に設置し、流体を流入し寝具ごと被介護者の腰部周辺を持ち上げる事により臀部周辺が浮いた状態になり、介護者がオムツ交換や清拭、体位変換などといった介護行為を行う空間を形成し、介護行為を容易に行う事が出来る。【選択図】図１
2012135593.tif 000002
【特許請求の範囲】
【請求項１】
寝床の布団またはシーツなどの寝具の下に設置し、流体を流入したり抜いたりする事により平面状態から立体状態に膨張し、寝具ごと被介護者の体の一部を上下動させる事を可能にした気密性と筒状流体流入口に着脱自在の流体流入用ホース取付部を有した平面袋体からなるマット本体と流体流入装置からなることを特徴とする介護用マット。
【請求項２】
流体流入装置は、流体流入量調節バルブを有し、本体マット部、流体流入用ホース部がそれぞれ取り外しを自在としたことを特徴とする請求項１記載の介護用マット。
【発明の詳細な説明】
【技術分野】
【０００１】  本発明は病院、介護施設、家庭等において、被介護者のオムツ交換、清拭、体位変換などといった介護行為を行う介護者の肉体的負担を軽減し、容易に介護行為が行える様にした介護用マットに関するものである。
【背景技術】
【０００２】  病院、介護施設、家庭等において、自立歩行、寝返り、入浴等が困難な被介護者に対し、オムツ交換や清拭、体位変換などといった介護行為を行う必要がある。しかし、被介護者の体は動かし難く前述の介護行為を行うには、被介護者の体を寝床上で持ち上げたりする必要があり一人の介護者では困難な場合が多く、かつ現在の高齢化した社会の中では高齢者が高齢者を介護するといった状況も少なくない。しかし、この様な介護行為は日常的な行為であり、介護者の肉体的に大きな負担となっている。今後更に拡大が予想される高齢化社会の中で、介護者の肉体的負担を軽減し簡便に介護行為が行える解決策が早急に望まれていた。
【発明の概要】
【発明が解決しようとする課題】
【０００３】  本発明は従来の介護現場ではオムツ交換、清拭、体位変換などと言った介護者の体に大きな負担が掛かる作業が多く、かつ誰でも容易に使える簡便な道具も無いと言った問題点を解消し、介護者一人でも容易に介護行為を行う事が可能となり、介護者への肉体的負担を軽減させる事を目的としたものである。
【課題を解決するための手段】
【０００４】  本発明は、寝床の布団またはシーツなどの寝具の下に本体マットを設置し流体を流入したり抜いたりする事により平面状態から立体状態に膨張し、寝具ごと被介護者の体の一部を上下動させる事を可能にした気密性と筒状流体流入口に着脱自在の流体流入用ホース取付部を有した平面袋体からなるマット本体と流体流入量調節バルブを有した流体流入装置からなる介護用マットである。【０００５】  また本発明は本体マットを腰部の下辺りになる様に設置し、流体を流入し寝具ごと被介護者の腰部周辺を持ち上げる事により臀部周辺が浮いた状態になり、介護者がオムツ交換や清拭、体位変換などといった介護行為を行う空間を形成する事により介護行為を容易に行う事が出来る。
【発明の効果】
【０００６】  マット本体は平面状態になるので、常時寝具の下に設置しておく事が可能で必要な時に寝具の外部に出しておいた筒状流体流入口の着脱自在の流体流入用ホース取付部に流体流入装置を取り付け、流体を流入させる事により寝具の下でマット本体が膨張し、寝具ごと被介護者の体の一部を持ち上げ、オムツ交換や清拭、体位変換などといった介護行為を容易に行う事が可能になる。前述を行う事で介護者が寝床の上で被介護者を持ち上げたりする事が減り、介護者の肉体的疲労の軽減と流体流入装置使用の簡便化が可能になる。【０００７】  使用後はマット本体から流体流入装置を取り外す事により、被介護者の体重と寝具の重みで筒状流体流入口の着脱自在の流体流入ホース取付部より流体が自然に排出され、寝具ごと持ち上げられていた被介護者の体の一部が自動的に降下し、従来の平面状態に戻す事が出来る。【０００８】  流体流入装置には流体流入量調節バルブを有し、被介護者の体の一部の持ち上がり状態を見て、バルブを調節し流体流入装置からの流体の流入を止める事で流体の流入及び逆流を防ぎ、介護作業終了時まで形成された空間を維持する事が出来るものとしている。
【図面の簡単な説明】
【０００９】
【図１】本発明の介護用マット本体と流体流入装置全体の構成図である。
【図２】介護用マットに流体を供給する状態を示す斜視図である。
【図３】上記マットの使用方法を説明する（Ａ）使用前または使用後の概略側面図、（Ｂ）使用中の形態を示す概略側面図である。
【発明を実施するための形態】
【実施例１】
【００１０】  以下、図面を参照しながら本発明の一実施形態について説明する。
図１は本発明の実施前の形態を示すマット本体と流体流入装置を示す全体構成図であり、本実施の形態の介護用マットは寝具の下にマット本体を設置し、筒状流体流入部を寝具の外部に出す事により、被介護者の寝心地を維持するとともに介護者の流体流入装置の取り付け作業を容易にしている。またマット本体に流体流入前は平面状態である為、常時寝具下に設置しておく事が可能となり使用時の設置作業を容易なものとしている。【００１１】  本発明のマット本体は、流体を流入させる事により平面状態から立体状態に膨張する気密性と筒状流体流入口に着脱自在の流体流入用ホース取付部を有した平面袋体から構成され、寝具ごと被介護者の体の一部を上下動させる事が可能である。よって、流体流入時には被介護者の腰部周辺を持ち上げ、臀部の下周辺に空間を形成しオムツ交換や清拭、体位変換といった介護行為を容易に行える状態となる。その際、被介護者の膝を立てた状態で流体を流入させる事で空間を形成し易くなる。【００１２】  介護行為終了後は着脱自在の流体流入用ホースをマット本体から取り外す事で、被介護者の体重および寝具の重みにより、流体流入用ホース取付部より流体が自然に排出される事によりマット本体が立体状態から平面状態になり、被介護者が自動的に降下し実施前の状態に戻る。【００１３】  マット本体へ流入する流体は、空気、水、ゲルなど色々有るが、手軽に扱える空気が最も適しており、流体流入装置は、電動式、足踏み式、ハンドポンプなど有るが介護者の肉体的疲労を考慮すると電動式のものが好ましい。【００１４】  流体流入装置には、流体流入量調節バルブを有しているので、介護者が本体マットに流体を流入する際には被介護者の体の持ち上がり具合を確認しながら行う事が可能で、介護行為を行うのに適した高さでバルブを調節し、流体流入装置からの流体流入を止める事で流体の流入及び逆流を防ぎ、被介護者の臀部の下周辺に形成した空間を介護行為終了時まで維持する事が出来る。【００１５】  本体マットと流体流入装置は取り外し可能な構造としている為、使用時以外は流体流入装置を取り外し収納しておく事が可能となる。また、本発明品を病院、介護施設などで使用している場合は他の被介護者に設置しているマット本体に流体流入装置を取り付ける事も可能で、１つの流体流入装置で介護作業を行う事が出来る。
【産業上の利用可能性】
【００１６】  本マットは、介護用だけに限定されることなく、一般就寝用としても利用できる。
【符号の説明】
【００１７】  １ａ  マット本体
１ｂ  筒状流体流入口部
２    流体流入用ホース取り付け部
３    ノズル
４    流体流入ホース
５    流体流入量調節バルブ
６    流体流入装置
７    寝具
８    被介護者
【図１】
2012135593.tif 000003
【図２】
2012135593.tif 000004
【図３】
2012135593.tif 000005